(57)【要約】【課題】本発明の課題は、使用者の本来の自毛の毛量状態に合わせることが可能なかつらを提供することである。【解決手段】人毛又は人工毛１１が植設される網地状基布１２から成り、上記網地状基布１２は単一の布状部材で構成され、この網地状基布１２の一部に上記人毛又は人工毛１１が渦巻き状になるように植設された渦巻き状部１３を有するかつら１０であって、上記網地状基布１２における上記渦巻き状部１３と他の部分とに植設された人毛又は人工毛１１の植設密度が異なるように構成される。【選択図】図１
2009091685.tif 000002
【特許請求の範囲】
【請求項１】
人毛又は人工毛が植設される網地状基布から成り、
前記網地状基布は単一の布状部材で構成され、該網地状基布の一部に前記人毛又は人工毛が渦巻き状になるように植設された渦巻き状部を有するかつらであって、
前記網地状基布における前記渦巻き状部と他の部分とに植設された人毛又は人工毛の植設密度は異なる、
ことを特徴とするかつら。
【請求項２】
前記渦巻き状部の植設密度は前記他の部分の植設密度より高い密度で植設されている、
ことを特徴とする請求項１記載のかつら。
【請求項３】
前記渦巻き状部の植設密度は前記他の部分の植設密度より低い密度で植設されている、
ことを特徴とする請求項１記載のかつら。
【請求項４】
前記渦巻き状部の植設密度と前記他の部分の植設密度とは同じ密度で植設されている、
ことを特徴とする請求項１記載のかつら。
【請求項５】
前記渦巻き状部に植設された人毛又は人工毛は、時計回り方向に渦巻いて植設されている、
ことを特徴とする請求項１記載のかつら。
【請求項６】
前記渦巻き状部に植設された人毛又は人工毛は、反時計回り方向に渦巻いて植設されている、
ことを特徴とする請求項１記載のかつら。
【請求項７】
前記渦巻き状部は頭髪のつむじ部として使用される部分に形成されている、
ことを特徴とする請求項１から６のいずれか記載のかつら。
【発明の詳細な説明】
【技術分野】
【０００１】
本発明は、人毛又は人工毛が植設される網地状基布の一部に人毛又は人工毛が渦巻き状に植設された渦巻き状部を備えたかつらに関する。
【背景技術】
【０００２】
一般に、かつらは薄毛に悩む人が外見上実際の頭髪であるように見せるために、又は、病気治療のために医薬品の投与により脱毛した人が着用するものである。よって、必然的にかつらには実際の頭髪であるような毛の生え方となるようにすることが要求される。
【０００３】
また、かつらは使用者のヘアースタイルに応じて種々の形態に合うように作られるものであるが、特につむじを備えたヘアースタイルのかつらにおいては、つむじが実際の頭髪部の一部であるように見えることが望ましい。
【０００４】
特にこの部分は、人毛又は人工毛によって比較的覆われない箇所であるため、外見上目立つ箇所となっている。そこで、従来から、上記のような要求を満足するために様々なかつらが提案されている。
【０００５】
例えば、人工皮膚又はネットより成る毛髪支持体につむじ部を形成したかつらが提案されている（特許文献１参照）。このかつらによれば、毛髪支持体に形成したつむじ部によって、頭部の薄毛部分を覆い隠すというものである。
【特許文献１】実開平５−５４５０９号公報
【発明の開示】
【発明が解決しようとする課題】
【０００６】
しかしながら、上記特許文献１に提案されているかつらは、人毛又は人工毛がかつらを構成する人工皮膚などに均一に植設されている。そこで、このかつらを使用者が装着する場合には、使用者によって頭髪の毛量状態が必ずしも均一とは限らないので、外観上について検討の余地が考えられる。
【０００７】
つまり、使用者によっては、つむじ部と他の部分とで自毛の毛量状態が異なる場合がある。このような場合に上記特許文献１に提案されているかつらでは、このかつらを装着した際に、かつら使用者の頭部全体の毛量の状態（自毛及びかつらの人毛又は人工毛とが混在した状態）が使用者の頭部に適した状態にならない場合が考えられる。
【０００８】
本発明の課題は、上記従来の実状に鑑み、使用者の本来の自毛の毛量状態に合わせることが可能なかつらを提供することである。
【課題を解決するための手段】
【０００９】
本発明のかつらは、人毛又は人工毛が植設される網地状基布から成り、上記網地状基布は単一の布状部材で構成され、この網地状基布の一部に上記人毛又は人工毛が渦巻き状になるように植設された渦巻き状部を有するかつらであって、上記網地状基布における上記渦巻き状部と他の部分とに植設された人毛又は人工毛の植設密度が異なるように構成される。
【００１０】
上記渦巻き状部の植設密度は、例えば、上記他の部分の植設密度より高い密度で植設されているように構成してもよい。
【００１１】
また、上記渦巻き状部の植設密度は、例えば、上記他の部分の植設密度より低い密度で植設されている構成としてもよい。
【００１２】
また、例えば、上記渦巻き状部の植設密度と上記他の部分の植設密度とは同じ密度で植設されている構成としてもよい。
【００１３】
また、上記渦巻き状部に植設された人毛又は人工毛は、例えば、時計回り方向に渦巻いて植設される構成としてもよい。
【００１４】
また、上記渦巻き状部に植設された人毛又は人工毛は、例えば、反時計回り方向に渦巻いて植設される構成としてもよい。
【００１５】
また、上記渦巻き状部は、例えば、頭髪のつむじ部として使用される部分に形成されているのが好ましい。
【発明の効果】
【００１６】
本発明によれば、網地状基布における渦巻き状部と他の部分とに植設された人毛又は人工毛の植設密度が異なるように構成したことで、使用者の毛量状態に応じて植設密度を調節し、使用者の本来の自毛の毛量状態に合わせたかつらを形成することができる。
【発明を実施するための最良の形態】
【００１７】
以下、本発明の実施の形態に係るかつらについて、図を用いて説明を行う。
【００１８】
（第１の実施の形態）
図１は、第１の実施の形態のかつら１０を示す平面図である。同図１において示されたかつら１０は、人毛及び人工毛１１が植設される網地状基布１２で構成されている。尚、ここでは、網地状部材１２の縁部及び中心部よりやや下位置にしか図示しないが、実際には、網地状基布１２の全体にもほぼ均一に人毛又は人工毛１１が植設されている。
【００１９】
このかつら１０の装着方法は、網地状基布１２に固定ピンを用いて装着すると良い。また、固定ピンの代用品としては、網地状基布１２に両面テープを用いることも可能である。また、更に別の装着方法としては、自毛と人毛又は人工毛１１とを混毛させて固定スプレーなどで固めて装着する方法も可能である。
【００２０】
網地状基布１２は単一の布状部材で形成されている。この布状部材の材質は特に限定されないが、好ましくは、ナイロンなどで形成すると良い。また、網地状基布１２の一部には、人毛又は人工毛１１が渦巻き状になるように植設される渦巻き状部１３が形成されている（同図１のＡ部）。
【００２１】
網地状基布１２における渦巻き状部１３と他の部分とに植設された人毛又は人工毛１１は、それぞれ植設密度を異ならせるように植設するとよい。これにより、使用者の本来の自毛の毛量状態に応じた植設密度に調整して、使用者に提供することができる。よって、使用者がこのかつら１０を装着すると、頭髪の全体の毛髪量や形状が本来の自毛のような状態になり、外観上好ましい。
【００２２】
詳述すると、網地状基布１２における渦巻き状部１３と他の部分との人毛又は人工毛１１の植設を対比した植設密度を示すと、渦巻き状部１３の植設密度が他の部分の植設密度より高い密度で植設される場合、渦巻き状部１３の植設密度が他の部分の植設密度より低い密度で植設される場合、渦巻き状部１３の植設密度が他の部分の植設密度とは同じ密度で植設される場合の３通りの異なる植設密度で植設されている。
【００２３】
例えば、渦巻き状部１３の植設密度が他の部分の植設密度より高い密度で植設される場合には、使用者の頭髪の渦巻き状部１３に当たる位置が他の部分よりも薄い場合に適用することが可能となる。従って、使用者の頭部の全体の自毛の毛量や渦巻き状部の毛量に合わせたかつらを装着できるため、外見上自然なかつらを形成することができる。
【００２４】
また、この渦巻き状部１３は網地状基布１２における所定の位置に形成される。この所定の位置は特に限定されないが、網地状基布１２の中央部よりやや下位置に形成されることが好ましい。つまり、渦巻き状部１３は人の頭髪のつむじ部として使用される。
【００２５】
図２は、渦巻き状部１３を拡大して示した拡大平面図である。本実施の形態において渦巻き状部１３に植設された人毛又は人工毛１１は、時計回り方向に渦巻いて植設されている。
【００２６】
また、網地状基布１２における他の部分に植設される人毛又は人工毛１１は、渦巻き状部１３と同方向に毛流れするように植設されることが好ましい。このように形成されることで、本実施の形態のかつら１０は頭髪の髪癖により近くなるので、外観上自然なかつらを形成することが可能となる。
【００２７】
なお、渦巻き状部１３の大きさは、特に限定されず、使用者の実際の頭髪の状態に合わせて形成されるが、好ましくは、渦巻き状部１３の大きさは、５ｃｍΦ程度が良い。
【００２８】
（第２の実施の形態）
図３は、渦巻き状部１３の第２の実施の形態を示す拡大平面図である。本実施の形態も第１の実施の形態と同様に、渦巻き状部１３は、網地状基布１２上の所定の位置に所定の大きさ、好ましくは５ｃｍΦで形成される。同図３に示すように、本実施の形態において、この渦巻き状部１３の人毛又は人工毛１１は、反時計回りに渦巻いて形成されている。
【００２９】
また、渦巻き状部１３に図示した人毛又は人工毛１１以外の人毛又は人工毛においても渦巻き方向と同方向に毛流れするように形成されている（渦巻き状部１３に示す矢印参照。）。このように形成されることで、本実施の形態のかつら１０は頭髪のつむじ部の髪癖により近くなるので、外観上自然なかつらを形成することが可能となる。
【００３０】
本実施の形態によれば、かつらの一部に渦巻き状部を形成し、網地状基布の部分に植設した人毛又は人工毛と渦巻き状部に植設された人毛又は人工毛の植設密度が異なる構成としたことによって、人の頭部全体の自毛の毛量やつむじ部の毛量に合わせたかつらを装着できるため、外観上自然なかつらを形成することができる。
【図面の簡単な説明】
【００３１】
【図１】かつらを示す平面図である。
【図２】渦巻き状部の拡大平面図である。
【図３】渦巻き状部の第２の実施の形態を示す拡大平面図である。
【符号の説明】
【００３２】
１０      かつら
１１      人毛又は人工毛
１２      網地状基布
１３      渦巻き状部
【図１】
2009091685.tif 000003
【図２】
2009091685.tif 000004
【図３】
2009091685.tif 000005